(57)【要約】密閉部への入場を制御するドアの閉を抑制する装置は、この装置の被駆動部に配置された第１の磁石と、密閉部の固定部に配置された第２の磁石とを備える。第１の磁石および第２の磁石が互いに整合する場合、第１の磁石および第２の磁石が互いに作用して閉位置へのドアの移動を抑制するよう第１の磁石の極が第２の磁石の極にきわめて近接するように、第１の磁石および第２の磁石は、ドアが閉位置へと移動する間に、互いに整合するように構成されている。
2013534886.tif 000002
【特許請求の範囲】
【請求項１】
密閉部への入場を制御するドアの閉を抑制する装置であって、
該装置の被駆動部に配置された第１の磁石と、
密閉部の固定部に配置された第２の磁石と、
を備えており、
第１の磁石および第２の磁石は、ドアが閉位置へと移動する間に、互いに整合するように構成されており、
第１の磁石および第２の磁石が互いに整合する場合、第１の磁石および第２の磁石が互いに作用して閉位置へのドアの移動を抑制するように、第１の磁石の極が第２の磁石の極にきわめて近接する、
ことを特徴とする装置。
【請求項２】
第１の磁石および第２の磁石のそれぞれは、ドアと密閉部の間を通過する軸に対してある角度で配列されることを特徴とする請求項１記載の装置。
【請求項３】
前記角度は、約４５°であることを特徴とする請求項２記載の装置。
【請求項４】
第１の磁石および第２の磁石のそれぞれは、互いに対してある角度で配列されることを特徴とする請求項１記載の装置。
【請求項５】
前記角度は、約９０°であることを特徴とする請求項４記載の装置。
【請求項６】
第１の磁石の極および第２の磁石の極は、互いに反発し合うことを特徴とする請求項４記載の装置。
【請求項７】
第２の磁石は、ドアの走行長さに沿って配列された第１の複数の磁石であり、それによって、第２の磁石は、ドアの走行長さに沿って第１の磁石と整合することを特徴とする請求項１記載の装置。
【請求項８】
第１の複数の磁石は、各面がその上に磁石を保持する、複数の傾斜した面を有するホルダによって保持されることを特徴とする請求項７記載の装置。
【請求項９】
前記傾斜した面は、ドアと密閉部の間を通過する軸に対して約４５°傾斜していることを特徴とする請求項７記載の装置。
【請求項１０】
第１の磁石は、ドアの走行長さの一部に沿って配列された第２の複数の磁石であり、それによって、第２の複数の磁石は、ドアの走行長さに沿って前記磁石と整合し、ドアが閉位置にある場合は第１の磁石と整合しないことを特徴とする請求項６記載の装置。
【請求項１１】
第１の磁石は、各面がその上に磁石を保持する、複数の傾斜した面を有するホルダによって保持される第２の複数の磁石であることを特徴とする請求項９記載の装置。
【請求項１２】
第１の磁石および第２の磁石は、水平面内で整合することを特徴とする請求項１記載の装置。
【請求項１３】
第１の磁石および第２の磁石は、垂直面内で整合することを特徴とする請求項１記載の装置。
【請求項１４】
第１の磁石の極および第２の磁石の極は、互いに引き合うことを特徴とする請求項１記載の装置。
【請求項１５】
第１の磁石の極および第２の磁石の極は、互いに反発し合うことを特徴とする請求項１記載の装置。
【請求項１６】
第１の磁石は、被駆動部に非直線的に配置されることを特徴とする請求項１記載の装置。
【請求項１７】
第２の磁石は、第１の磁石と整合して固定部に非直線的な構成で配置されることを特徴とする請求項１６記載の装置。
【請求項１８】
被駆動部は、モータによって駆動されるプーリであることを特徴とする請求項１６記載の装置。
【請求項１９】
固定部は、モータであることを特徴とする請求項１８記載の装置。
【請求項２０】
非直線的な構成は、弧状であることを特徴とする請求項１６記載の装置。
【請求項２１】
エレベータかごへの入場を制御するエレベータかごドアの閉を抑制する装置であって、
ドアを閉にする動力機構と、
ドアの被駆動部に配置された第１の磁石と、
かごの一部に配置された第２の磁石と、
を備えており、
第１の磁石および第２の磁石は、ドアが閉位置へと移動する間に、互いに整合するように構成されており、
第１の磁石および第２の磁石が互いに整合する場合、第１の磁石および第２の磁石が互いに作用して閉位置へのドアの移動を抑制するように、第１の磁石の極が第２の磁石の極にきわめて近接する、
ことを特徴とする装置。
【請求項２２】
第１の磁石および第２の磁石のそれぞれは、ドアと密閉部の間を通過する軸に対してある角度で配列されることを特徴とする請求項２１記載の装置。
【請求項２３】
前記角度は、約４５°であることを特徴とする請求項２２記載の装置。
【請求項２４】
第１の磁石および第２の磁石のそれぞれは、互いに対してある角度で配列されることを特徴とする請求項２１記載の装置。
【請求項２５】
前記角度は、約９０°であることを特徴とする請求項２４記載の装置。
【請求項２６】
第１の磁石の極および第２の磁石の極は、互いに反発し合うことを特徴とする請求項２４記載の装置。
【請求項２７】
第２の磁石は、ドアの走行長さに沿って配列された第１の複数の磁石であり、それによって、第２の磁石は、ドアの走行長さに沿って第１の磁石と整合することを特徴とする請求項２１記載の装置。
【請求項２８】
第１の磁石は、ドアの走行長さの一部に沿って配列された第２の複数の磁石であり、それによって、第２の複数の磁石は、ドアの走行長さに沿って第１の複数の磁石と整合し、ドアが閉位置にある場合は第１の複数の磁石と整合しないことを特徴とする請求項２７記載の装置。
【請求項２９】
第１の磁石の極および第２の磁石の極は、互いに引き合うことを特徴とする請求項２１記載の装置。
【請求項３０】
第１の磁石は、被駆動部に第１の非直線的な構成で配置されることを特徴とする請求項２１記載の装置。
【請求項３１】
第２の磁石は、前記固定部に第２の非直線的な構成で配置されており、第２の非直線的な構成は、第１の非直線的な構成と整合することを特徴とする請求項３０記載の装置。
【請求項３２】
被駆動部は、モータによって駆動されるプーリであることを特徴とする請求項３０記載の装置。
【請求項３３】
前記固定部は、モータであることを特徴とする請求項３２記載の装置。
【請求項３４】
第１の非直線的な構成は、弧状であることを特徴とする請求項３０記載の装置。
【請求項３５】
動力駆動されるドアへの電力が失われた場合に、ドアの閉を抑制する方法であって、
ドアに配置された第１の磁石を提供し、
第１の磁石および第２の磁石がドアの走行長さに沿って互いに整合するようにドアに隣接して密閉部に配置された第２の磁石を提供し、
閉位置へのドアの移動を抑制するように第１の磁石および第２の磁石を作用させる、
ことを含むことを特徴とする方法。
【請求項３６】
第１の磁石および第２の磁石が直線方向で互いに対して走行する間に、第１の磁石および第２の磁石を作用させることをさらに含むことを特徴とする請求項３５記載の方法。
【請求項３７】
第１の磁石および第２の磁石が非直線方向で互いに対して走行する間に、第１の磁石および第２の磁石を作用させることをさらに含むことを特徴とする請求項３５記載の方法。
【発明の詳細な説明】
【技術分野】
【０００１】
本発明は、一般にドアの閉を抑制する装置、特にエレベータかごドアの閉を抑制する装置に関する。
【０００２】
本願は、２０１０年５月１１日に出願された韓国特許出願第１０−２０１０−００４００４３８１７号の優先権を主張し、その出願を参照することによってその全体が本願に組み込まれる。
【背景技術】
【０００３】
エレベータドアは、懸架装置によって懸架されており、懸架装置は、エレベータかごに取り付けられたまぐさ上のトラック内をまたはトラックに沿って移動するホイールを有する。ドアは、各ドアの懸架装置に取り付けられたケーブルを駆動する可逆モータによって動力を供給されて開閉される。
【０００４】
従来技術のエレベータかご３０１のエレベータかごドア開閉装置が図１１に示される。かごドアヘッダ３０３の一端にモータ３０４が固定して設置されており、別の一端には、一定の間隙を設けて被駆動プーリ３０９が設置されている。無端ループを形成する駆動ベルト３１０が、モータ３０４と被駆動プーリ３０９の間に巻き付けられている。かごドアヘッダ３０３には、かごドアレール３１１がドア開口部３０２の長手方向に設置されている。２つのかごドア３１２がそれぞれ、かごドア懸架装置３１３を介してかごドアレール３１１上に懸架されている。各かごドア懸架装置３１３は、かごドアレール３１１に沿って円滑な円形運動をするいくつかのローラ３１４を有する。かごドア３１２は、かごドア懸架装置３１３に取り付けられたブラケット３１５、３１６を介して駆動ベルト３１０に接続されている。このような構成を有する従来技術では、かごドア３１２は、かごドアレール３１１に沿って移動する間に、モータ３０４の動力によって駆動ベルト３１０の回転を介して開閉される。
【発明の概要】
【発明が解決しようとする課題】
【０００５】
電力が失われた場合、ドアは、完全に開いていようと、部分的に開いていようと、その現在の位置に止まるのが望ましい。実際、エレベータおよび／または消防規則には、停電時には、電力が復旧し、ドア開または閉ボタンが押されるまで、自動動力作動ドアが移動しないことが要求されているものがある。この要求に反して、通常作動時に、例えば、ドア閉を容易にするために通常使用される閉用重りなどの結果として、乗場側のドアからの、システム摩擦に打ち勝つ閉力によって、かごドアはしばしば乗場領域において徐々に閉じてしまうことになる。
【課題を解決するための手段】
【０００６】
本願で提供される実施例によれば、密閉部への入場を制御するドアの閉を抑制する装置は、この装置の被駆動部に配置された第１の磁石と、密閉部の固定部に配置された第２の磁石とを備える。第１の磁石および第２の磁石が互いに整合する場合、第１の磁石および第２の磁石が互いに作用して閉位置へのドアの移動を抑制するよう第１の磁石の極が第２の磁石の極にきわめて近接するように、第１の磁石および第２の磁石は、ドアが閉位置へと移動する間に、互いに整合するように構成されている。
【０００７】
本願で提供されるさらなる実施例によれば、エレベータかごへの入場を制御するエレベータかごドアの閉を抑制する装置は、ドアを閉にする動力機構と、ドアの被駆動部に配置された第１の磁石と、かごの一部に配置された第２の磁石とを備える。第１の磁石および第２の磁石が互いに整合する場合、第１の磁石および第２の磁石が互いに作用して閉位置へのドアの移動を抑制するよう第１の磁石の極が第２の磁石の極にきわめて近接するように、第１の磁石および第２の磁石は、ドアが閉位置へと移動する間に、互いに整合するように構成されている。
【０００８】
本願で提供されるなおさらなる実施例によれば、動力駆動されるドアへの電力が失われた場合に、ドアの閉を抑制する方法は、ドアに配置された第１の磁石を提供し、第１の磁石および第２の磁石がドアの走行長さに沿って互いに整合するようにドアに隣接して密閉部に配置された第２の磁石を提供し、閉位置へのドアの移動を抑制するように第１の磁石および第２の磁石を作用させる、ことを含む。
【０００９】
上述の一般的な説明および以下の詳細な説明は両方とも、もっぱら例示的および説明的なものであって、請求される発明を限定するものではないことを理解されたい。
【００１０】
本発明のこれらと他の特徴、態様、および利点は、以下の説明、添付の特許請求の範囲、以下に簡単に説明される図面に示される付随する例示的な実施例から明らかとなるであろう。
【図面の簡単な説明】
【００１１】
【図１】エレベータシステム内に配置された磁石の第１の実施例の概略図。
【図２】図１に開示されたエレベータシステム内の磁石列の第１の実施例の図。
【図３】第１の磁石列を有する図２の懸架装置の斜視図。
【図４】第２の磁石列を有する図２のまぐさの図。
【図５】懸架装置に配置された磁石列の位置の第２の実施例の図。
【図６】図７のまぐさの図。
【図７】懸架装置（仮想線で示される）と図５、図６のまぐさとの組み立て図。
【図８】図７のエレベータシステムの斜視図。
【図９】完全な閉の状態での、図７の懸架装置およびまぐさの図。
【図１０】完全な開の状態での、図７の懸架装置およびまぐさの図。
【図１１】エレベータの従来のかごドア開閉装置を示す概略図。
【図１２】本発明の第３の実施例のエレベータのかごドア開閉装置の主要部分を示す概略図。
【図１３】本発明の第３の実施例の主要部分を示す分解斜視図。
【図１４】本発明の第３の実施例の装置の主要部分を示す断面図。
【図１５】本発明の第３の実施例の第１および第２の磁石を示す概略図。
【図１６】本発明の第３の実施例の代替の変形例の第１および第２の磁石を示す概略図。
【図１７】本発明の第４の実施例による第１および第２の磁石の別の取り付け例を示す概略断面図。
【発明を実施するための形態】
【００１２】
図面全体に亘って同一または類似の部材に同一または類似の参照符号を使用する努力がなされた。
【００１３】
ここで図１を参照すると、エレベータかご１０（図２参照）は、静止まぐさ２５と、可動ドア１２とを備える。ドア１２は、懸架装置１５と、懸架装置１５から懸架されるドアパネル２０（図２等参照）とを備える。懸架装置１５とまぐさ２５とは、軸３０によって分離される。本質的に懸架装置１５は、エレベータかごに対して移動し、かつかごドアパネル２０と共に移動しまたはかごドアパネル２０を移動させる、任意の部品とすることができる。まぐさ２５も同様に、エレベータかご１０に対して移動し、かつかごドア１２と共に移動しまたはかごドア１２を移動させる任意の部品に対して静止する、エレベータかご１０の任意の部品とすることができる。懸架装置１５は、１つまたは複数のホイール７５を介してまぐさ２５から懸架され得る。より詳細には、懸架装置１５のホイール７５は、まぐさ２５の上に形成されたトラックまたはレール８０内または上に受けられ得る。別の実施例では、懸架装置１５は、まぐさ２５の対応するレール上または内を摺動するように構成されたシューを有することができる。それにも拘わらず、まぐさ２５および懸架装置１５は、本願で示される概念に影響するさまざまな方法で互いに整合し得る。
【００１４】
本願で開示される第１の実施例によれば、懸架装置１５は、設定されている軸３０に対して各磁石が第１の角度Ａで配置された第１の磁石列３５を有する。まぐさ２５は、軸３０に対して各磁石が第２の角度Ｂで配置された第２の磁石列４０を有する。本願で示されるように、角度Ａおよび角度Ｂの合計、そして、第１の磁石列３５の各磁石と第２の磁石列４０の各磁石との関係が約９０度となるように、角度Ａは約４５度であり、角度Ｂは４５度である。角度Ａおよび角度Ｂは、合計で約９０度となるように示されているけれども、第１の磁石列と第２の磁石列とについての他の角度も本願では予想される。さらに、ドア１２が閉となる際にドアパネル２０がまぐさに対してどこの位置にあるかに応じて第１の磁石列と第２の磁石列の各磁石の間の全体の角度が、各列の長さに沿って異なり得ることも本願では予想される。例えば、ドアパネル２０が完全な閉のすぐ近くで電力が失われる場合、第１の磁石列３５の磁石と第２の磁石列４０の磁石との全体の角度は、変わり得る。
【００１５】
第１の磁石列３５および第２の磁石列４０の各磁石は永久磁石とすることができる。２つの列について独立した電源（図示せず）が利用可能である場合、電磁石が使用可能である。
【００１６】
第１の磁石列３５および第２の磁石列４０は、それらの極が類似の配置の他方にきわめて近接するように配置された極を有する。すなわち、第１の磁石列３５および第２の磁石列４０のそれぞれのＳ極（またはＮ極）が、軸３０に最も近接するように配置される。同種の極が角度Ａ、Ｂの頂点を形成する。同種の極を軸３０に最も近接して配列することで、第１の磁石列３５および第２の磁石列４０は、エレベータシステム内の電力が失われた後に懸架装置１５（従って、ドアパネル２０）が閉位置に向かって徐々に移動するのを防止（または少なくとも抑制）するように、閉（図１参照）とは反対の方向に互いに反発し合う。
【００１７】
ここで図２〜図４を参照すると、第１の磁石列３５および第２の磁石列４０の配置が示される。第１の磁石列３５は、磁石５５が通常の仕方で取り付けられた複数の面５０を有する第１のホルダ４５上に配置される。上述したように、各磁石５５は、軸３０に向かって配置された同じ極を有する。同様に、第２の磁石列４０は、磁石７０が通常の仕方で取り付けられた複数の面６５を有する第２のホルダ６０上に配置される。上述したように、各磁石７０は、軸３０に向かって配置された、磁石５５と同じ極を有する。磁石５５の面５０は、角度Ａをなすように傾斜しており、磁石７０の面６５は、それぞれ角度Ｂをなすように傾斜している。第１の磁石列３５内の各磁石５５は、接着または同様のものなどにより対応する面５０に取り付けられており、第２の磁石列４０内の各磁石７０は、接着または同様のものなどにより対応する面６５に同様に取り付けられている。第１のホルダ４５は、まぐさ２５の垂直部分９０に取り付けられた第２のホルダ６０と整合するように、懸架装置１５の垂直部分８５に取り付けられる。図２では、エレベータドアは部分的に開いている。
【００１８】
第２のホルダ６０は、ドアパネル２０の走行長さを占めるように第１のホルダ４５より長い。ドアが閉位置に向かって移動する際、第１のホルダ４５は、ドアが部分的に開いている限り走行長さの全体に亘って磁石５５、７０が整合するように、第２のホルダ６０と整合する。ドアが開いていない場合、磁石５５、７０は、磁石を有していない長手方向の部分（例えば、図９の第２のホルダ１６０上の１９５参照）と第１のホルダ４５が整合するので、互いに整合し得ない。第１の磁石列３５の磁石５５および第２の磁石列４０の磁石７０が整合する場合、それらは、ドアパネル２０が閉位置に向かって移動するのを抑制するように斥力を与える。まぐさ２５上の第２のホルダ６０は、電力が失われた場合にドアパネル２０がその時点での（例えば開）位置に保持され得るよう、第１の磁石列３５および第２の磁石列４０の整合を確保するように、ドアパネル２０の走行長さに亘って延在する。この実施例における第１のホルダ４５および第２のホルダ６０は、水平面内に配置される。
【００１９】
第１のホルダ４５は、４つの磁石５５を保持するように示されているけれども、他の数の磁石も第１のホルダによって保持され得る。同様に、他の数の磁石７０も第２のホルダ６０上に保持され得る。
【００２０】
ここで図５〜図８を参照すると、別の例示的な実施例が示される。第３の磁石列１３５を保持する第３のホルダ１４５が、懸架装置１１５の上縁２００に隣接して配置される。図６を参照すると、まぐさ１２５上の第４の磁石列１４０の第４のホルダ１６０が、懸架装置１１５上の第３のホルダ１４５の上方に第３のホルダ１４５と整合して配置される。第３のホルダ１４５および第４のホルダ１６０は、垂直面内にあり、軸３０Ａの周りで互いに整合している（図１０参照）。第４のホルダ１６０は、懸架装置１１５が懸架されている懸架装置ホイール２０５の内側でまぐさ１２５上に配置される。第４のホルダ１６０の、下方に面した第４の磁石列１４０は、第３のホルダ１４５の、上方に面する第３の磁石列１３５と整合するように構成される。
【００２１】
ここで図９を参照すると、ドアパネル２０は、完全に閉じて示されている。第３のホルダ１４５上に保持された第３の磁石列１３５および第４のホルダ１６０上に保持された第４の磁石列１４０は、整合していない。従って、ドアを開に保持する斥力は存在しない。
【００２２】
図１０を参照すると、ドアは、完全に開いて示されており、第３のホルダ１４５上に保持された第３の磁石列１３５および第４のホルダ１６０上に保持された第４の磁石列１４０は、互いに整合する。このような位置では、上で検討したように、第３のホルダ１４５上に保持された第３の磁石列１３５の極および第４のホルダ１６０上に保持された第４の磁石列１４０の同種の極の斥力は、ドアパネル２０の閉の可能性を最小限に抑えるように作用する、すなわち、第４のホルダ１６０は、ドアパネル２０の閉を抑制する。第４の列１４０が、ドア開の長さに沿って延在するので、磁石は、万一電力が失われた場合にかごドアが閉じるのを停止させ得る斥力をドア走行に沿った任意の位置で与えるように協同することになる。
【００２３】
本発明の第３の実施例の２つの変形例がここで、図１２〜図１６を参照して検討される。この実施例の２つの変形例では、モータ３３０が、回転シャフト３３２、ステータ３３６、ロータ３３７、およびプーリ３３３を備えており、プーリ３３３は、その外周面においてシャフト３３２に結合される。モータ３３０は、かごドアヘッダ３２０の一端に固定して取り付けられており、また、ベース３３１およびハウジング３３４を備えており、ハウジング３３４は、回転シャフト３３２を覆っており、ベース３３１に固定して接続される。被駆動プーリ３５０が、ヘッダ３２０の反対の一端に取り付けられており、無端ベルト３６０が、モータ３３０と被駆動プーリ３５０の間に延在する。かごドア３７０が、それぞれベルト３６０の上部側、下部側に接続されており、ベルト３６０の前後の回転に従って開閉する。図１４に示されるように、軸受３３５が、シャフト３３２およびプーリ３３３の回転を容易にするように、回転シャフト３３２、モータベース３３１、およびモータハウジング３３４の間に配置可能である。
【００２４】
同様に、モータ３３０への電力が失われた場合にドアの閉を防止（または少なくとも抑制）するための一対の磁石列を備えているこの第３の実施例では、第５の磁石列３８０が、モータプーリ３３３の一方の側面に径方向にかつ固定して配置されており、第６の磁石列３９０が、モータハウジング３３４の内側表面上に第５の磁石列３８０の反対の側面に隣接して径方向にかつ固定して配置される。第５の磁石列３８０の各磁石は、磁石列３８０、３９０間に相互引力が形成されるように、第６の磁石列３９０内の対応する磁石の極性とは反対の極性を有する。その結果、例えばモータ３３０への電力が除去されて回転シャフト３３２が停止した場合、回転シャフト３３２は、第５、第６の磁石列３８０、３９０間の引力によって、自動的に回転するのが防止（または少なくとも抑制）される。
【００２５】
第５、第６の磁石列３８０、３９０はそれぞれ、各磁石が弧状を有するいくつかの磁石３８１、３９１から成る。さらに、磁石３８１、３９１は、円弧方向に一定の間隔で隔てられており、円形を形成する。
【００２６】
図１５に示される第３の実施例の第１の変形例では、第５、第６の磁石列３８０、３９０それぞれのいくつかの磁石３８１、３９１は、円弧方向に沿って極性が互いに異なるように配置される。例えば、第５の磁石列３８０の円形を形成するいくつかの磁石３８１は、時計回り方向にＮ型→Ｓ型→Ｎ型→Ｓ型の順序で配置される。第６の磁石列３９０の磁石３９１は、時計回り方向にＳ型→Ｎ型→Ｓ型→Ｎ型と配置される。モータプーリ３３３が、回転シャフト３３２によって強制的に回転される場合は、モータ３３０の回転力が磁石間の磁力の引力より強いので、引力が方向を決定することはない。しかしながら、モータ３３０への電力が切断されると、極性が互いに異なる磁石３８１、３９１間に生成される引力が効力を生じ、それによって、モータプーリ３３３が回転するのが防止（または少なくとも抑制）される。
【００２７】
図１６に示される第３の実施例の第２の変形例では、第５、第６の磁石列３８０、３９０それぞれのいくつかの磁石３８１、３９１は、全ての極性は同じであるが、互いに相対的に異なる極性を有する。すなわち、第５の磁石列３８０の円形を形成する全ての磁石３８１は、時計回り順序でＮ型→Ｎ型→Ｎ型→Ｎ型と配置され、第６の磁石列３９０の全ての磁石３９１は、時計回り順序でＳ型→Ｓ型→Ｓ型→Ｓ型と配置される。モータプーリ３３３が、回転シャフト３３２によって強制的に回転される場合は、モータ３３０の回転力が磁石間の磁力の引力より強いので、引力が方向を決定することはない。しかしながら、モータ３３０への電力が切断されると、磁石間の引力が効力を生じ、それによって、モータプーリ３３３が自動的に回転するのが防止（または少なくとも抑制）される。
【００２８】
図１７に示される本発明の第４の実施例では、第３の実施例で使用されたものと同様の磁石列３８０、３９０が使用される。しかしながら、この実施例では、第５の磁石列３８０は、回転シャフト３３２の端部に設けられたプレート３３９に接続され、一方、第６の磁石列３９０は、第５の列３８０とは対向するモータベース３３１上に配置される。もちろん、第３の実施例の２つの変形例（図１５、図１６に示される）で使用された磁石配置のいずれもこの第４の実施例で使用可能である。
【００２９】
第３、第４の実施例によるエレベータのかごドアの閉を防止（または少なくとも抑制）する装置の作動プロセスが以下に説明される。最初に、モータ３３０の回転シャフト３３２の回転力が、回転シャフト３３２の外周面を介してモータプーリ３３３に伝達される。その結果、モータプーリ３３３および被駆動プーリ３５０の外周面の周りに巻き付けられたベルト３６０が前後に回転する。ベルト３６０の無端ループの上部側および下部側が、それぞれ左および右かごドア３７０に接続され、それによって、ドア３７０が、かごドアレール３２１に沿って摺動または回転する懸架装置３７１によって、相互に開閉する。モータプーリ３３３が、回転シャフト３３２によって強制的に回転される間は、モータ３３０の回転力が第５、第６の磁石列３８０、３９０間の磁力の引力より強いので、この引力は、モータ３３０の力に打ち負かされる。
【００３０】
このような仕方で、かごドア３７０がモータ３３０の回転力によって開閉する間に、モータ３３０への電力が切断されると、回転シャフト３３２およびモータプーリ３３３の回転は停止する。この停止の結果、第５、第６の磁石列３８０、３９０間の引力が効力を生じ、それによって、モータプーリ３３３は、そうでなければドア３７０の自然な閉作用に応じて自動的に回転するのが防止（または少なくとも抑制）される。
【００３１】
第３、第４の実施例に使用するのに引力が予想されているけれども、本願では斥力が利用される第５、第６の磁石列３８０、３９０の配置も予想されることを理解されたい。例えば、第３の実施例の別の代替の変形例では、第５、第６の磁石列３８０、３９０の斥力が（第１の磁石列３５および第２の磁石列４０の配置と同様に）プーリの回転運動を停止させるように、第５の列または第６の列は、プーリ３３３上、およびモータハウジング３３４の内側表面上に配置され得る。
【００３２】
同様に、斥力の代わりに引力がドア２０の移動を防止（または少なくとも抑制）し得るように、第１の磁石列３５および第２の磁石列４０が第５、第６の磁石列３８０、３９０の配置と同様の極性の順序とし得ることが予想される。磁石の引力または斥力を使用することの差は、各列の磁石の数を考慮すると、重要でない可能性のある態様の問題である。
【００３３】
また、第１の磁石列３５および第２の磁石列４０は直線的に配置され、第５、第６の磁石列３８０、３９０は非直線的に配置されているけれども、本願で与えられている目的を達成するために、磁石の引力または斥力を利用するように他の形状が使用可能である。さらに、本願では、本願で与えられる教示を用いることによって、第５、第６の磁石列３８０、３９０がヘッダ３２０上で被駆動プーリ３５０上およびこれに隣接して配置可能であることが予想される。
【００３４】
上述の検討は、本発明の単なる例示を意図するものであり、添付の特許請求の範囲を任意の特定の実施例または実施例の群に限定するものと解釈すべきでない。従って、本発明は、本発明の特定の例示的な実施例に関して特に詳細に説明したとはいえ、それにさまざまな他の修正および／または変更が、以下の特許請求の範囲に記載される発明のより広くかつ意図される範囲から逸脱せずになし得ることも理解する必要がある。例えば、特徴の組み合わせが例示の実施例に示されているとはいえ、それらの全てが、本開示のさまざまな実施例の利益を得るために組み合わされる必要はない。すなわち、本開示の実施例によって設計されるシステムは必ずしも、図面のいずれか１つに示された特徴の全てまたは図面に概略的に示された部分の全てを含むことはない。さらに、１つの例示的な実施例の選択された特徴は、他の例示的な実施例の選択された特徴と組み合わせ可能である。
【００３５】
上述の説明は、本質的に限定ではなく例示である。本開示から必ずしも逸脱しない、開示の実施例に対する変形および変更が、当業者には明らかとなり得る。本開示に与えられる法的保護範囲は、添付の特許請求の範囲を検討することでのみ決定可能である。
【図１】
2013534886.tif 000003
【図２】
2013534886.tif 000004
【図３】
2013534886.tif 000005
【図４】
2013534886.tif 000006
【図５】
2013534886.tif 000007
【図６】
2013534886.tif 000008
【図７】
2013534886.tif 000009
【図８】
2013534886.tif 000010
【図９】
2013534886.tif 000011
【図１０】
2013534886.tif 000012
【図１１】
2013534886.tif 000013
【図１２】
2013534886.tif 000014
【図１３】
2013534886.tif 000015
【図１４】
2013534886.tif 000016
【図１５】
2013534886.tif 000017
【図１６】
2013534886.tif 000018
【図１７】
2013534886.tif 000019
【国際調査報告】
2013534886.tif 000020
2013534886.tif 000021